(57)【特許請求の範囲】
【請求項１】
筐体と、
前記筐体内に設けられた撮像素子と、
前記筐体内に設けられ被写体からの光を前記撮像素子に導く光路と、
光が透過される第１フィルタを有する第１フィルタ部と、
光が透過される第２フィルタを有する第２フィルタ部と、
前記筐体に設けられた手動の操作スイッチに連動して、第１フィルタと第２フィルタの各々を、前記光路内に位置する有効位置又は前記光路外に位置する無効位置に個別に移動させるフィルタ切り替え手段と、
前記筐体内で固定され、前記第１フィルタ又は前記第２フィルタが前記有効位置と前記無効位置以外の位置にあるときにフィルタの位置の異常を示す警告を発する警告手段と、
を備えた撮像装置であって、
前記第１フィルタ部は、前記第１フィルタを支持する第１フィルタ支持部と、前記第１フィルタ支持部から延出し、先端が前記筐体内で固定された軸部に回転可能に支持された第１アーム部と、前記第１アーム部に取り付けた第１被検知片と、前記第１フィルタ支持部の外縁から外方に向かって突設された第２被検知片とを有し、
前記第２フィルタ部は、前記第２フィルタを支持する第２フィルタ支持部と、前記第２フィルタ支持部から延出し、先端が前記筐体内で固定された軸部に回転可能に支持された第２アーム部と、前記第２フィルタ支持部の外縁から外方に向かって突設された第３被検知片とを有し、
前記操作スイッチは、一方向に並んだ３つの切り替え位置にそれぞれ位置するように揺動可能に構成され、
前記フィルタ切り替え手段は、前記操作スイッチが前記３つの切り替え位置の中央に位置するとき、前記第１フィルタが前記有効位置に位置し、且つ前記第２フィルタが前記無効位置に位置するようにし、前記３つの切り替え位置の一端に位置するとき、前記第１フィルタが前記無効位置に位置し、且つ前記第２フィルタが前記有効位置に位置するようにし、前記３つの切り替え位置の他端に位置するとき、前記第１及び第２フィルタが共に前記無効位置に位置するようにしたものであり、
前記警告手段は、第１乃至第３被検知片を検知し、検知信号を生成する第１乃至第３検知器を有し、前記第１フィルタが前記有効位置と前記無効位置以外の位置にあるとき、前記第１乃至第３検知器の前記検知信号の組み合わせに応答して警告を発する、
ことを特徴とする撮像装置。
【請求項２】
所定の情報を表示する表示パネルが設けられ、前記警告手段による前記フィルタ位置の異常を示す警告は前記表示パネルの表示によって行なわれることを特徴とする請求項１記載の撮像装置。
【請求項３】
前記警告手段は前記フィルタが前記有効位置と無効位置以外の位置に移動されてから所定時間が経過したか否かを判定する判定手段を有し、前記警告手段による前記フィルタ位置の異常を示す警告は前記判定手段の判定結果に基づいて行なわれることを特徴とする請求項１記載の撮像装置。
【請求項４】
前記撮像素子はＣＣＤであることを特徴とする請求項１記載の撮像装置。
【請求項５】
前記フィルタの位置を前記有効位置および無効位置に対応して位置決めするクリック機構が設けられていることを特徴とする請求項１記載の撮像装置。
【請求項６】
前記第１、第２、第３検知器はそれぞれフォトインタラプタから構成されていることを特徴とする請求項１記載の撮像装置。
【請求項７】
前記第１、第２フィルタは入射光の波長成分を変えることなく前記撮像素子に到達する透過光量を減少させるように構成されたＮＤフィルタで構成され、前記第１、第２フィルタのＮＤフィルタは前記透過光量が互いに異なるように構成されていることを特徴とする請求項１記載の撮像装置。
【請求項８】
前記光路上において前記撮像素子の前方には撮影レンズが配設され、前記フィルタは前記撮影レンズの前方又は後方に配設されていることを特徴とする請求項１記載の撮像装置。
【発明の詳細な説明】
【０００１】
【発明の属する技術分野】
本発明は、撮像素子に光が導かれる光路に臨む位置にフィルタを移動させたり、光路から退避させたりする撮像装置に関するものである。
【０００２】
【従来の技術】
従来、撮影レンズからの光をＣＣＤなどの撮像素子に入射させて撮影を行う撮像装置があるが、このような撮像装置においては、ＣＣＤへ入射される光量を調整するためにＮＤフィルタを撮影レンズの光路に臨む位置に移動させてフィルタの機能を有効にする位置（以下有効位置という）に移動させたり、光路から退避させてフィルタの機能を無効にする位置（以下無効位置という）に移動させたりするフィルタ切換手段が設けられている。このようなフィルタ切換手段は、例えば手動で操作される操作スイッチに機械的に連動してＮＤフィルタの移動を行うように構成されている。そして、ＮＤフィルタの位置を有効位置および無効位置に対応して位置決めするクリック機構が設けられている。
【０００３】
【発明が解決しようとする課題】
しかし、上述したＮＤフィルタの移動を手動で行う撮像装置においては、操作スイッチが不完全に操作されると、フィルタ切換手段が不完全な動作で停止し、ＮＤフィルタが有効位置と無効位置の何れにも対応しない中間位置に留まった状態となることがある。フィルタ切換手段が不完全な動作で停止し、ＮＤフィルタが中間位置に留まった状態で放置されると、例えばクリック機構を構成するばねなどが経時変化や温度変化によって変形するなどしてクリック機構の機能を劣化させてしまう。またＮＤフィルタが中間位置に停止してしまい、例えばＮＤフィルタの枠部が光路に差し掛かり光路を通過する光に悪影響を与えて撮影画像の画質が劣化するといったおそれがある。本発明は、このような従来技術の課題を解決しようとするものであり、その目的とするところは、フィルタが有効位置と無効位置の何れでもない位置に停止してしまった場合にフィルタの位置が異常であることを警告できる撮像装置を提供することにある。
【０００４】
【課題を解決するための手段】
本発明は、上記目的を達成するため、筐体と、前記筐体内に設けられた撮像素子と、前記筐体内に設けられ被写体からの光を前記撮像素子に導く光路と、光が透過される第１フィルタを有する第１フィルタ部と、光が透過される第２フィルタを有する第２フィルタ部と、前記筐体に設けられた手動の操作スイッチに連動して、第１フィルタと第２フィルタの各々を、前記光路内に位置する有効位置又は前記光路外に位置する無効位置に個別に移動させるフィルタ切り替え手段と、前記筐体内で固定され、前記第１フィルタ又は前記第２フィルタが前記有効位置と前記無効位置以外の位置にあるときにフィルタの位置の異常を示す警告を発する警告手段とを備えた撮像装置であって、前記第１フィルタ部は、前記第１フィルタを支持する第１フィルタ支持部と、前記第１フィルタ支持部から延出し、先端が前記筐体内で固定された軸部に回転可能に支持された第１アーム部と、前記第１アーム部に取り付けた第１被検知片と、前記第１フィルタ支持部の外縁から外方に向かって突設された第２被検知片とを有し、前記第２フィルタ部は、前記第２フィルタを支持する第２フィルタ支持部と、前記第２フィルタ支持部から延出し、先端が前記筐体内で固定された軸部に回転可能に支持された第２アーム部と、前記第２フィルタ支持部の外縁から外方に向かって突設された第３被検知片とを有し、前記操作スイッチは、一方向に並んだ３つの切り替え位置にそれぞれ位置するように揺動可能に構成され、前記フィルタ切り替え手段は、前記操作スイッチが前記３つの切り替え位置の中央に位置するとき、前記第１フィルタが前記有効位置に位置し、且つ前記第２フィルタが前記無効位置に位置するようにし、前記３つの切り替え位置の一端に位置するとき、前記第１フィルタが前記無効位置に位置し、且つ前記第２フィルタが前記有効位置に位置するようにし、前記３つの切り替え位置の他端に位置するとき、前記第１及び第２フィルタが共に前記無効位置に位置するようにしたものであり、前記警告手段は、第１乃至第３被検知片を検知し、検知信号を生成する第１乃至第３検知器を有し、前記第１フィルタが前記有効位置と前記無効位置以外の位置にあるとき、前記第１乃至第３検知器の前記検知信号の組み合わせに応答して警告を発することを特徴とする。
【０００５】
そのため、フィルタが有効位置と無効位置以外の位置にあるときに警告手段からフィルタの位置の異常を示す警告が発生されるので、操作者はフィルタ切換手段の動作が不完全であることに気がつき、フィルタが有効位置または無効位置の何れかに確実に移動されるようにフィルタ切換手段を操作することができる。したがって、フィルタ切換機構などに含まれるクリック機構などの機能を劣化させることがなく、またフィルタが有効位置と無効位置以外の位置に留まることで光路を通過する光に悪影響を与えて撮影画像の画質が劣化することを防止することが可能となる。
【０００６】
【発明の実施の形態】
次に本発明の実施の形態について図面を参照して説明する。図１は本実施の形態における撮像装置の構成を示すブロック図、図２はフィルタ切換手段および警告手段の一部を光路を平行な方向から見た状態を示す正面図、図３は図２を矢印Ｘ方向から見た状態を示す要部拡大図、図４は本実施の形態の撮像装置の動作フローチャートである。
【０００７】
撮像装置１００は、ズームレンズ１（特許請求の範囲の撮影レンズに相当）、ＮＤフィルタ２Ａ（特許請求の範囲の第１フィルタ）、ＮＤフィルタ２Ｂ（特許請求の範囲の第２フィルタ）、絞り３、フォーカスレンズ４、撮像素子を構成するＣＣＤ５、信号処理ブロック６、スーパーインポーズブロック７、液晶表示パネルなどから構成される表示装置８、フィルタの切換を行うための操作スイッチ９、第１、第２フィルタ２Ａ、２Ｂの位置を検知するセンサ１０Ａ（特許請求の範囲の第１検知器に相当）、センサ１０Ｂ（第３検知器に相当）、センサ１０Ｃ（特許請求の範囲の第２検知器に相当）、操作スイッチ９に連動して第１、第２フィルタ２Ａ、２Ｂを移動させるフィルタ切換手段２０などから構成されている。
【０００８】
被写体からの光Ｌはズームレンズ１を通過してズームレンズ１の後方に配設された絞り３によって絞られ、絞り３の後方に配設されているフォーカスレンズ４によって集光されフォーカスレンズ４の後方に配設されているＣＣＤ５に結像され、ＣＣＤ５によって被写体像が撮像される。すなわち、ズームレンズ１、絞り３、フォーカスレンズ４によって被写体からの光をＣＣＤ５に導く光路が形成されている。ズームレンズ１と絞り３の間には、ＮＤフィルタ２Ａ、２Ｂが設けられており、後で詳述するフィルタ切換手段によって、それぞれ光Ｌが導かれる光路に臨む有効位置と光路から退避する無効位置に移動されるように構成されている。また、ＮＤフィルタ２Ａ、２Ｂは、入射光の波長成分を変えることなく前記撮像素子に到達する透過光量を減少させるように構成されたものであり、透過光量が互いに異なるように構成されている。
【０００９】
ＣＣＤ５から出力された撮像信号は後段の信号処理ブロック６によって処理されスーパーインポーズブロック７を介して表示装置８に入力されて映像が表示されるようになっている。スーパーインポーズブロック７は、コントローラ１１から入力される警告情報Ｄに基づいてフィルタの位置が異常であることを示す警告を表示装置８に表示させるように構成されている。コントローラ１１は、後で詳述する検知するセンサ１０Ａ、１０Ｂ、１０Ｃからの検知信号の状態の組み合わせに基づいてＮＤフィルタ２Ａ、２Ｂが異常な位置にあるか否かを判定し、異常な位置にあると判定された場合には警告情報Ｄをスーパーインポーズブロック７に入力するように構成されている。
【００１０】
操作スイッチ９に連動して第１、第２フィルタ２Ａ、２Ｂを移動させるフィルタ切換手段２０などから構成されている。操作スイッチ９は、例えば上下方向に揺動可能に構成され、後述するクリック機構３０によって上下方向に異なる３つの位置でそれぞれ位置決めされるようになっている。これら３つの位置は、光路に臨む位置にＮＤフィルタ２Ａのみを移動させる第１位置（図１、図２ではＮＤ１と示す）と、光路に臨む位置にＮＤフィルタ２Ｂのみを移動させる第２位置（図１、図２ではＮＤ２と示す）と、何れのフィルタも光路から退避させる第３位置（図１、図２ではＯＦＦと示す）とである。
【００１１】
次に、図２、図３を参照してフィルタ切換手段２０および警告手段の構成について説明する。ＮＤフィルタ２Ａは、光が透過される円板状のフィルタ本体２Ａ１と、このフィルタ本体を支持する円環状のフィルタ支持部２Ａ２とから構成されている。フィルタ支持部２Ａ２の外縁からはアーム２Ａ３が延出されており、その中間部が撮像装置１００の筐体側に固定された軸部２１に対して回転可能に支持されている。
【００１２】
一方、ＮＤフィルタ２Ｂも、光が透過される円板状のフィルタ本体２Ｂ１と、このフィルタ本体を支持する円環状のフィルタ支持部２Ｂ２とから構成されている。フィルタ支持部２Ｂ２の外縁からはアーム２Ｂ３が延出されており、その中間部が上記軸部２１に対して回転可能に支持されている。したがって、ＮＤフィルタ２Ａ、２Ｂは、軸部２１を中心にしてズームレンズ１の光軸１Ａに対して直交する方向に移動可能に設けられ、光Ｌが導かれる光路に臨む有効位置と光路から退避する無効位置に移動されるように構成されている。
【００１３】
光路上を導かれる光Ｌは、ＮＤフィルタ２Ａが有効位置に位置している状態ではフィルタ支持部２Ａ２に妨げられないでフィルタ本体２Ａ１の部分を透過し、ＮＤフィルタ２Ａが無効位置に位置している状態ではフィルタ本体２Ａ１およびフィルタ支持部２Ａ２に妨げられないように構成されている。このことはＮＤフィルタ２Ｂについても全く同様である。
【００１４】
そして、ＮＤフィルタ２Ａのフィルタ支持部２Ａ２の外縁から外方に向かってすなわち光軸１Ａと直交する方向に被検知片２A２１が突設され、アーム２Ａ３のうち、軸部２１とフィルタ支持部２Ａ２との中間部には、係合ピン２Ａ３１と被検知片２Ａ３２が光軸１Ａと平行方向に突設されている。また、ＮＤフィルタ２Ｂのフィルタ支持部２Ｂ２の外縁から外方に向かってすなわち光軸１Ａと直交する方向に被検知片２Ｂ２１が突設され、アーム２Ｂ３に、係合ピン２B３１が光軸１Ａと平行方向に突設されている。
【００１５】
センサ１０Ａ、１０Ｂ、１０Ｃは、フォトインタラプタから構成され、検知光が遮られた時に検知状態（例えばＨ）となり、遮られていない時に非検知状態（例えばＬ）となるように構成されている。そして、センサ１０Ａは、ＮＤフィルタ２Ａが無効位置に位置している状態で被検知片２Ａ２１を検知するように設けられている。センサ１０Ｂは、ＮＤフィルタ２Ｂが無効位置に位置している状態で被検知片２Ｂ２１を検知するように設けられている。センサ１０Ｃは、ＮＤフィルタ２Ａが有効位置に位置している状態で被検知片２Ａ３２を検知するように構成されている。
【００１６】
操作スイッチ９は、本体９Ａ、支軸９Ｂ、操作部９Ｃ、凸部９Ｄ、ギア部９Ｅなどを有して構成されている。支軸９Ｂは光軸１Ａと平行方向に軸心を有し、本体９Ａはこの支軸９Ｂを中心として揺動可能に設けられている。そして、操作部９Ｃは、光軸１Ａと直交する方向に本体９Ａから延在されており、操作部９Ｃの反対側には円弧状のギア部９Ｅが形成されている。ギア部９Ｅの近傍には、このギア部９Ｅと噛合するギア２２が光軸１Ａと直交する方向に軸心を有する支軸２２Ａと一体的に設けられ、この支軸２２Ａを中心として回転可能に設けられている。支軸２２Ａには２つのカム２４Ａ、２４Ｂが固定されており、ギア２２と一体的に回転可能となるように構成されている。これらカム２４Ａ、２４Ｂには前述したアーム２Ａ３、２Ｂ３の係合ピン２Ａ３１、２Ｂ３１がそれぞれ係合するようになっている。操作部９Ｃの側部（図２で手前側）には、後述するクリック機構を構成する凸部９Ｄが突設されている。
【００１７】
図２において、操作部９Ｃが実線で示されているように第１位置（ＮＤ１）に位置している場合、ＮＤフィルタ２Ａは、その係合ピン２Ａ３１がカム２４Ａの高位部に位置されることで有効位置に位置されている。また、ＮＤフィルタ２Ｂは、その係合ピン２Ｂ３１がカム２４Ｂの低位部に位置されることで無効位置に位置されている。ここで、図２に示されている状態から操作部９Ｃが第２位置（ＮＤ２）に位置するように操作されると、本体９Ａが支軸９Ｂを中心にして時計方向に回動され、ギア部９Ｅに噛合されているギア２２が軸部２２Ａを中心にして反時計方向に回動される。この結果、カム２４Ａは、図２に示されている位置からさらに反時計方向に回動され、ＮＤフィルタ２Ａは、その係合ピン２Ａ３１がカム２４Ａの低位部に位置されることで無効位置に移動される。また、カム２４Ｂは図２に示されているカム２４Ａの位置に移動されるため、ＮＤフィルタ２Ｂは、その係合ピン２Ｂ３１がカム２４Ｂの高位部に位置されることで有効位置に移動される。また、図２に示されている状態から操作部９Ｃが第３位置（ＯＦＦ）に位置するように操作されると、本体９Ａが支軸９Ｂを中心にして反時計方向に回動され、ギア部９Ｅに噛合されているギア２２が軸部２２Ａを中心にして時計方向に回動される。この結果、カム２４Ａは、図２に示されている位置からさらに時計方向に回動され、ＮＤフィルタ２Ａは、その係合ピン２Ａ３１がカム２４Ａの低位部に位置されることで無効位置に移動される。また、カム２４Ｂは図２に示されている位置から破線で示されている位置に移動されるため、ＮＤフィルタ２Ｂは、その係合ピン２Ｂ３１が引き続きカム２４Ｂの低位部に位置されることで無効位置のまま維持される。すなわち、操作スイッチ９、ギア２２、カム２４Ａ、２４Ｂ、係合ピン２Ａ３１、２Ｂ３１によってフィルタ切換手段２０が構成されている。
【００１８】
次に、操作スイッチ９を上述した３通りの位置に切り換えた状態で、この操作スイッチ９すなわちＮＤフィルタ２Ａ、２Ｂの位置を位置決めするクリック機構３０について説明する。図３に示されているように、クリック機構３０は、撮像装置１００の外装１１０に設けられた上下方向に延在し操作スイッチ９の操作部９Ａを上下方向に案内する長溝３２と、操作スイッチ９の凸部９Ｄの移動軌跡上に延在し撮像装置１００の筐体側に固定されているばね部材３２とから構成されている。ばね部材３２は例えば弾性を有する樹脂から形成される。ばね部材３２は、操作スイッチ９が第１、第２、第３位置に移動したときに、凸部９Ｄが係脱可能に係合される凹部３２Ａ、３２Ｂ、３２Ｃが上下に間隔をおいて設けられている。したがって、操作スイッチ９が第１、第２、第３位置に移動されたときに、凸部９Ｄが各凹部３２Ａ、３２Ｂ、３２Ｃに係合されることで操作スイッチ９、すなわちＮＤフィルタ２Ａ、２Ｂの位置が位置決めされるようになっている。
【００１９】
したがって、操作スイッチ９を第１位置（ＮＤ１）に操作した場合には、ＮＤフィルタ２Ａが有効位置に移動され、光Ｌはフィルタ支持部２Ａ２に妨げられることなくフィルタ本体２Ａ１を通過する。この際、ＮＤフィルタ２Ｂは無効位置に移動されているため、光路は、フィルタ本体２Ｂ１およびフィルタ支持部２Ｂ２に妨げられない。そして、センサ１０Ａは、フィルタ支持部２Ａ２に設けられた突片２Ａ２１が離間しているため、検知光が遮光されず、非検知状態（Ｌ）の検知信号Ａをコントローラ１１に入力する。センサ１０Ｂは、フィルタ支持部２Ｂ２に設けられた突片２Ｂ２１によって検知光が遮光され、検知状態（Ｈ）の検知信号Ｂをコントローラ１１に入力する。センサ１０Ｃは、アーム２Ａ３に設けられた突片２Ａ３２によって検知光が遮光され、検知状態（Ｈ）の検知信号Ｃをコントローラ１１に入力する。
【００２０】
次に、操作スイッチ９を第２位置（ＮＤ２）に操作した場合には、ＮＤフィルタ２Ｂが有効位置に移動され、光Ｌはフィルタ支持部２Ｂ２に妨げられることなくフィルタ本体２Ｂ１を通過する。この際、ＮＤフィルタ２Ａは無効位置に移動されているため、光路は、フィルタ本体２Ａ１およびフィルタ支持部２Ａ２に妨げられない。そして、センサ１０Ａは、フィルタ支持部２Ａ２に設けられた突片２Ａ２１によって検知光が遮光され、検知状態（Ｈ）の検知信号Ａをコントローラ１１に入力する。センサ１０Ｂは、フィルタ支持部２Ｂ２に設けられた突片２Ｂ２１が離間しているため、検知光が遮光されず、非検知状態（Ｌ）の検知信号Ｂをコントローラ１１に入力する。センサ１０Ｃは、アーム２Ａ３に設けられた突片２Ａ３２が離間しているため、検知光が遮光されず、非検知状態（Ｌ）の検知信号Ｃをコントローラ１１に入力する。
【００２１】
さらに、操作スイッチ９を第３位置（ＯＦＦ）に操作した場合には、ＮＤフィルタ２Ａ、２Ｂの双方が無効位置に移動される。したがって、光Ｌは、ＮＤフィルタ２Ａのフィルタ本体２Ａ１およびフィルタ支持部２Ａ２と、ＮＤフィルタ２Ｂのフィルタ本体２Ｂ１およびフィルタ支持部２Ｂ２とに妨げられない。そして、センサ１０Ａは、フィルタ支持部２Ａ２に設けられた突片２Ａ２１によって検知光が遮光され、検知状態（Ｈ）の検知信号Ａをコントローラ１１に入力する。センサ１０Ｂは、フィルタ支持部２Ｂ２に設けられた突片２Ｂ２１によって検知光が遮光され、検知状態（Ｈ）の検知信号Ｂをコントローラ１１に入力する。センサ１０Ｃは、アーム２Ａ３に設けられた突片２Ａ３２が離間しているため、検知光が遮光されず、非検知状態（Ｌ）の検知信号Ｃをコントローラ１１に入力する。
【００２２】
したがって、操作スイッチ９の位置に応じてセンサ１０Ａ、１０Ｂ、１０Ｃの検知信号Ａ、Ｂ、Ｃの状態の組み合わせが３通りになることがわかる。したがって、センサ１０Ａ、１０Ｂ、１０Ｃの検知信号Ａ、Ｂ、Ｃの状態が上記３通り以外の状態である場合には、ＮＤフィルタ２Ａ、２Ｂの少なくとも一方が有効位置および無効位置以外の場所に位置していることになる。このようなことは、例えば操作スイッチ９が上述した第１、第２、第３位置何れかの位置に位置決めされておらず、中間位置に留まっていることによって生じる。
【００２３】
次に図４を参照して撮像装置１００の動作について説明する。コントローラ１１は、各センサ１０Ａ、１０Ｂ、１０Ｃの検知信号Ａ、Ｂ、Ｃの論理を読み取る（Ｓ１）。そして、検知信号Ａ、Ｂ、Ｃが上記３通りの論理の組み合わせ以外ならば中間位置にあると判断する。（Ｓ２、Ｓ３）。すなわち、検知信号Ａ、Ｂ、Ｃの論理がＨＨＬならば、ＮＤフィルタ２Ａ、２Ｂとも無効位置（図中Ｐｏｓｉｔｉｏｎ＝ＮＤＯＦＦと示す）にあり、検知信号Ａ、Ｂ、Ｃの論理がＬＨＨならば、ＮＤフィルタ２Ａが有効位置でＮＤフィルタ２Ｂが無効位置（図中Ｐｏｓｉｔｉｏｎ＝ＮＤ１と示す）にあり、検知信号Ａ、Ｂ、Ｃの論理がＨＬＬならば、ＮＤフィルタ２Ａが無効位置でＮＤフィルタ２Ｂが有効位置（図中Ｐｏｓｉｔｉｏｎ＝ＮＤ２と示す）にあり、検知信号Ａ、Ｂ、Ｃが上記３通りの論理の組み合わせ以外ならば、ＮＤフィルタ２Ａ、２Ｂの少なくとも一方が有効位置および無効位置以外の位置、つまり中間位置にあると判断する。
【００２４】
次いで、コントローラ１１は、ＮＤフィルタ２Ａ、２Ｂが中間位置にあると判断されなかった場合（Ｓ３で“Ｎ”）、それが有する時間計測用のカウンターを０にリセットしてＳ１に移行する（Ｓ４）。また、コントローラ１１は、ＮＤフィルタ２Ａ、２Ｂが中間位置にあると判断れた場合（Ｓ３で“Ｙ”）、それが有する時間計測用のカウンターの値が目標値（所定値）以上か否かを判定する（Ｓ５）。カウンターの値が目標値以上と判定された場合（Ｓ５で“Ｙ”）は、ＮＤフィルタ２Ａ、２Ｂが中間位置に留まっていると判断して警告情報Ｄをスーパーインポーズブロック７に入力して表示装置８に警告を表示させる（Ｓ７）。一方、カウンターの値が目標値以上と判定されなかった場合（Ｓ５で“Ｎ”）は、カウンターの値をインクリメントしてＳ１に移行する（Ｓ６）。もし、ＮＤフィルタ２Ａ、２Ｂが中間位置に留まっていれば、ステップＳ１、Ｓ２、Ｓ３、Ｓ５、Ｓ６のループを繰り返してステップＳ７に移行する。もし、ＮＤフィルタ２Ａ、２Ｂが有効位置または無効位置に移動すれば、ステップＳ１、Ｓ２、Ｓ３、Ｓ５、Ｓ６のループからステップＳ４に移行してカウンタがクリアされ、警告の表示はなされない。
【００２５】
以上詳述した本実施の形態によれば、ＮＤフィルタ２Ａ、２Ｂが有効位置および無効位置の何れでもない位置に留まっていると、表示装置８にフィルタの位置の異常を示す警告が表示されるため、操作者はフィルタの位置の異常を認識することができる。したがって、フィルタの位置の異常を認識すれば、操作スイッチ９の操作をやり直すことができ、また、フィルタ位置の異常に気がつかないまま撮影を続けてしまうといった問題を解消することができる。このため、クリック機構３０のばね部材３２の部分が変形したままになることが無い。
【００２６】
なお、警告は表示装置８に表示することだけでなく、警告表示用のＬＥＤの点灯、音声による警告など任意の方法で警告を発することができることはもちろんである。また、フィルタはＮＤフィルタに限定されない。フィルタの枚数も２枚に限定されるものではなく、１枚または３枚以上であってもよい。また、フィルタの配設する場所も実施の形態に限定されない。
【００２７】
各センサ１０Ａ、１０Ｂ、１０Ｃはフォトインタラプタに限定されるものではなく、他の検知方式のセンサから構成されていてもよい。
【００２８】
なお、本実施の形態においては、スーパーインポーズブロック７、表示装置８、センサ１０Ａ、１０Ｂ、１０Ｃ、コントローラ１１によって特許請求の範囲の警告手段が構成されている。また、フィルタ切換手段２０、クリック機構３０は本実施の形態に限定されるものではなく、周知の手段や機構を任意に適用可能であることはいうまでもない。
【００２９】
【発明の効果】
以上説明したように本発明は、撮像素子と、被写体からの光を前記撮像素子に導く光路と、光が透過されるフィルタと、前記フィルタを有効位置と無効位置とに移動させるフィルタ切換手段とを備え、前記有効位置は、前記フィルタが前記光路上に臨み光がフィルタを透過する位置であり、前記無効位置は、前記フィルタが前記光路上から退避する位置であるように構成された撮像装置において、前記フィルタが前記有効位置と無効位置以外の位置にあるときにフィルタの位置の異常を示す警告を発する警告手段を設けた構成とした。
【００３０】
そのため、フィルタが有効位置と無効位置以外の位置にあるときに警告手段からフィルタの位置の異常を示す警告が発生されるので、操作者はフィルタ切換手段の動作が不完全であることに気がつき、フィルタが有効位置または無効位置の何れかに確実に移動されるようにフィルタ切換手段を操作することができる。したがって、フィルタ切換機構などに含まれるクリック機構などの機能を劣化させることがなく、またフィルタが有効位置と無効位置以外の位置に留まることで光路を通過する光に悪影響を与えて撮影画像の画質が劣化することを防止することが可能となる。
【図面の簡単な説明】
【図１】  本実施の形態における撮像装置の構成を示すブロック図である。
【図２】  フィルタ切換手段および警告手段の一部を光路を平行な方向から見た状態を示す正面図である。
【図３】  図２を矢印Ｘ方向から見た状態を示す要部拡大図である。
【図４】  本実施の形態の撮像装置の動作フローチャートである。
【符号の説明】
１……ズームレンズ（撮影レンズ）、２Ａ、２Ｂ……ＮＤフィルタ（フィルタ）、４……フォーカスレンズ、５……ＣＣＤ（撮像素子）、８……表示装置、１０Ａ、１０Ｂ、１０Ｃ……センサ、１１……コントローラ、２０……フィルタ切換手段、３０……クリック機構、１００……撮像装置。
【図１】
0004277412.tif 000002
【図２】
0004277412.tif 000003
【図３】
0004277412.tif 000004
【図４】
0004277412.tif 000005